(57)【要約】【課題】水位検出用の電極棒の定期的な保守作業を不要にしながら、長期間に亘って高精度に水位を測定することができるようにした電極棒式水位計の夾雑物付着防止構造を提供すること。【解決手段】下端部に端子を形成した水位検出用の電極棒１ａ、１ｂ、１ｃ、１ｄの外周囲を覆い、下部に通水孔２ａを形成した容器２と、この容器２内に洗浄水を供給する給水管３とからなり、給水管３から容器２内に洗浄水を供給して、容器２内に汚水の浸入を防止する。【選択図】図１
2005233896.tif 000002
【特許請求の範囲】
【請求項１】
水位検出用の電極棒の外周囲を覆い、下部に通水孔を形成した容器と、該容器内に洗浄水を供給する給水管とからなり、給水管から容器内に洗浄水を供給して、容器内に汚水の浸入を防止するようにしたことを特徴とする電極棒式水位計の夾雑物付着防止構造。
【請求項２】
水位に応じて、給水管から容器内に洗浄水を供給するようにしたことを特徴とする請求項１記載の電極棒式水位計の夾雑物付着防止構造。
【発明の詳細な説明】
【技術分野】
【０００１】
本発明は、電極棒式水位計の夾雑物付着防止構造に関し、特に、水位検出用の電極棒の定期的な保守作業を不要（メンテナンスフリー）にしながら、長期間に亘って高精度に水位を測定することができるようにした電極棒式水位計の夾雑物付着防止構造に関するものである。
【背景技術】
【０００２】
従来、例えば、下水等の有機性汚水を処理する汚水処理槽においては、汚水処理槽の水位に応じて、曝気攪拌機の運転制御を行うようにしている。
【０００３】
そして、この汚水処理槽の水位を測定するために、電極棒式水位計が広く用いられている。
【０００４】
ところで、この電極棒式水位計は、通常、長さの異なる複数本の電極棒を備えることによって、複数の水位を測定することができるようにされているが、水位の上昇による電極棒の汚水への浸漬と、水位の降下による電極棒の乾燥が繰り返されることによって、汚水への複数本の電極棒が近接して配置されていることとも相俟って、汚水に含まれる夾雑物が、電極棒に付着、乾燥し、これが繰り返されることによって、電極棒の周囲に夾雑物が皮膜を形成し、水位の測定精度が低下し、動作不良を起こすという問題があった。
【０００５】
このため、この種の電極棒式水位計を、夾雑物が多く含まれる汚水等の水位の測定に用いる場合には、定期的、例えば、数ヶ月おきに、電極棒式水位計を引き上げ、電極棒の周囲に形成されている夾雑物の皮膜をサンドペーパー等で除去する必要があり、このため、保守作業のために設備の稼動を停止しなければならない等の問題があった。
【発明の開示】
【発明が解決しようとする課題】
【０００６】
本発明は、上記従来の電極棒式水位計の有する問題点に鑑み、水位検出用の電極棒の定期的な保守作業を不要にしながら、長期間に亘って高精度に水位を測定することができるようにした電極棒式水位計の夾雑物付着防止構造を提供することを目的とする。
【課題を解決するための手段】
【０００７】
上記目的を達成するため、本発明の電極棒式水位計の夾雑物付着防止構造は、水位検出用の電極棒の外周囲を覆い、下部に通水孔を形成した容器と、該容器内に洗浄水を供給する給水管とからなり、給水管から容器内に洗浄水を供給して、容器内に汚水の浸入を防止するようにしたことを特徴とする。
【０００８】
この場合において、水位に応じて、給水管から容器内に洗浄水を供給するようにすることができる。
【発明の効果】
【０００９】
本発明の電極棒式水位計の夾雑物付着防止構造によれば、水位検出用の電極棒の外周囲を覆い、下部に通水孔を形成した容器と、該容器内に洗浄水を供給する給水管とからなり、給水管から容器内に洗浄水を供給して、容器内に汚水の浸入を防止するようにしているので、水位が上昇しても電極棒が汚水に浸漬されることがなく、このため、水位が降下し電極棒が乾燥しても電極棒の周囲に夾雑物の皮膜が形成されることがなく、水位検出用の電極棒を清浄に維持することができる。
これにより、水位検出用の電極棒の定期的な保守作業が不要になるとともに、長期間に亘って高精度に水位を測定することができる。
【００１０】
また、水位に応じて、給水管から容器内に洗浄水を供給するようにすることにより、給水管からの洗浄水の供給を効率的に行うことができる。
【発明を実施するための最良の形態】
【００１１】
以下、本発明の電極棒式水位計の夾雑物付着防止構造の実施の形態を図面に基づいて説明する。
【００１２】
図１に、本発明の電極棒式水位計の夾雑物付着防止構造を適用した電極棒式水位計の一実施例を示す。
この電極棒式水位計は、例えば、下水等の有機性汚水を処理する汚水処理槽の水位を測定するためのもので、複数本、特に限定されるものではないが、本実施例においては４本の下端部に端子を形成した水位検出用の電極棒１ａ、１ｂ、１ｃ、１ｄ（１ｄは水位異常検出用）の外周囲を覆い、下部に通水孔２ａを形成した容器２と、この容器２内に洗浄水を供給する給水管３とからなり、給水管３から容器２内に洗浄水を供給して、容器２内に汚水の浸入を防止するように構成している。
【００１３】
この場合において、容器２は、好ましくは、外から水位検出用の電極棒１ａ、１ｂ、１ｃ、１ｄを観察することができるように、透明の合成樹脂製の有底の筒体で構成するようにする。
【００１４】
また、給水管３から容器２内に供給される洗浄水の水量（特に限定されるものではないが、例えば、０．０２ｍ３／ｍｉｎ）は、容器２に形成した通水孔２ａから排出される洗浄水の水量と、ほぼ釣り合うようにし（ただし、図１（ｃ）に示す高水位（定水位）ＨＨの場合を除く。）、給水管３から供給される洗浄水により、容器２内の洗浄水の水位が自然に上昇しないように設定する。
【００１５】
これにより、この電極棒式水位計は、給水管３から容器２内に洗浄水を継続的に供給することによって、図１（ａ）に示すように、汚水処理槽の水位が低水位ＨＬで容器２に形成した通水孔２ａが空気中にあるときには、容器２内の水位が最下位の電極棒１ａの下端部近傍位置となり、図１（ｂ）に示すように、汚水処理槽の水位が中水位ＨＭで容器２に形成した通水孔２ａが汚水中にあるときには、容器２内の水位が中位の電極棒１ｂ（攪拌機停止水位検出用）の下端部近傍位置となり、図１（ｃ）に示すように、汚水処理槽の水位が上水位（定水位）ＨＨで容器２に形成した通水孔２ａが汚水中にあるときには、容器２内の水位が上位の電極棒１ｃ（攪拌機運転水位検出用）の下端部近傍位置となる。
この場合、図１（ｃ）に示すように、汚水処理槽の水位が上水位（定水位）ＨＨで容器２に形成した通水孔２ａが汚水中にあるときには、容器２内に供給された洗浄水が容器２からオーバーフローするようにしてもよい。
【００１６】
なお、この実施例においては、給水管３から容器２内に洗浄水を継続的に供給するようにしているが、汚水処理槽の水位が一定以上の場合（具体的には、汚水処理槽に汚水が導入されて水位が一定以上になる場合）に、給水管３から容器２内に洗浄水を継続的に供給し、汚水処理槽から汚水を排出して水位が低下する場合に、洗浄水の供給を停止すること、すなわち、汚水処理槽の水位に応じて、給水管から容器内に洗浄水を供給することににより、給水管３からの洗浄水の供給を効率的に行うようにしているが、給水管３からの洗浄水の供給方法（供給のタイミング）は、容器２内への汚水の浸入を防止できる限りにおいて、これに限定されるものでない。
【００１７】
そして、この電極棒式水位計の夾雑物付着防止構造によれば、汚水処理槽の水位が上昇しても電極棒１ａ、１ｂ、１ｃ（水位異常検出用の電極棒１ｄを除く。）が汚水に浸漬されることがなく、このため、水位が降下し電極棒１ａ、１ｂ、１ｃが乾燥しても電極棒１ａ、１ｂ、１ｃの周囲に夾雑物の皮膜が形成されることがなく、水位検出用の電極棒を清浄に維持することができる。
【００１８】
以上、本発明の電極棒式水位計の夾雑物付着防止構造について、下水等の有機性汚水を処理する汚水処理槽の水位を測定するための電極棒式水位計を例に説明したが、本発明は上記実施例に記載した構成に限定されるものではなく、その趣旨を逸脱しない範囲において適宜その構成を変更することができるものであり、また、その用途も、汚水処理槽の水位を測定する用途に限定されず、例えば、洗浄槽の水位を測定する用途等、水位測定の用途に広く用いることができるものである。
【産業上の利用可能性】
【００１９】
本発明の電極棒式水位計の夾雑物付着防止構造は、水位検出用の電極棒の定期的な保守作業を不要にしながら、長期間に亘って高精度に水位を測定することができることから、下水等の有機性汚水を処理する汚水処理槽の水位検出の用途に好適に用いることができるほか、その他の水位検出の用途にも広く用いることができる。
【図面の簡単な説明】
【００２０】
【図１】本発明の電極棒式水位計の夾雑物付着防止構造の一実施例を示し、（ａ）は低水位の状態を、（ｂ）は中水位の状態を、（ｃ）は上水位（定水位）の状態を、それぞれ示す電極棒式水位計の縦断面図、（ｄ）は電極棒式水位計の横断面図である。
【符号の説明】
【００２１】
１ａ  電極棒
１ｂ  電極棒
１ｃ  電極棒
１ｄ  電極棒
２    容器
２ａ  通水孔
３    給水管
【図１】
2005233896.tif 000003